(57)【要約】【課題】フィルムの磁気情報を安定して再生するために、フィルムリーダー部ではなくて未露光先頭駒の第２トラックに情報を記録させる。【解決手段】フィルム途中巻き戻し操作が行われると、フィルムを一度巻き上げると同時に、その駒、即ち未露光先頭駒の第２トラックに情報の磁気記録を行う。ＭＲＣによるフィルム再装填後に、未露光先頭駒が検出されると同時に、その第２トラックの磁気情報を再生して表示を行う。【選択図】　　　　図１
2004012495.tif 000002
【特許請求の範囲】
【請求項１】
フィルムの各駒に磁気情報を記録するための少なくとも第１と第２の記録領域を有したフィルムを使用するカメラにおいて、第１および第２の記録領域で磁気情報を記録および再生するための第１の記録再生手段および第２の記録再生手段と、前記第１の記録再生手段により未露光先頭駒を検出するための検出手段とを有し、未露光先頭駒を検出した時にその駒の前記第２の記録領域に磁気記録されている磁気情報を第２の記録再生手段によって再生して表示するための表示手段を有したことを特徴とする磁気記録再生可能なカメラ。
【請求項２】
フィルムの途中巻き戻し手段の指示にて巻き戻しがなされる際に、一旦フィルムを巻き上げることで、フィルム未露光先頭駒の第２の記録領域に、撮影者によって設定された情報もしくは所定の情報が磁気記録されることを特徴とする請求項１記載の磁気記録再生可能なカメラ。
【請求項３】
フィルムの未露光駒の第１の記録領域には何も記録しないことを特徴とする請求項１，２記載の磁気記録再生可能なカメラ。
【請求項４】
前記フィルム途中巻き戻し手投が操作されることで、巻き戻しを開始する前にあらかじめ警告をおこなうことを特徴とする請求項２，３記載の磁気記録再生可能なカメラ。
【発明の詳細な説明】
【０００１】
【発明の属する技術分野】
本発明は、フィルムの磁気記録部に情報を記録したり、記録されている情報を再生する磁気記録再生可能なカメラに関するものである。
【０００２】
詳しくは、撮影関連情報などを磁気情報として記録できるフィルムを収納したカートリッジを使用するフィルム自動巻き上げ、巻き戻しカメラにおいて、前記フィルムの各駒に磁気情報を記録、および磁気情報が記録されているか否かを少なくとも判別できる磁気記録再生手段と、前記フィルム駒の一部を撮影露光し、磁気情報が記録された部分露光済みフィルムを収納した前記カートリッジが前記カメラに装填され、フィルム巻き上げが開始された際に、前記磁気記録再生手段によりフィルムの各駒毎に磁気情報が記録されているか否かを判別すると共に、磁気情報の記録されていない最初の駒を判別することで、その磁気情報の記録されていない最初の駒（即ち未露光駒の最初の駒）をカメラのアパーチヤにセットさせる制御手段とを備えたことを特徴とする磁気記録再生可能なカメラに関するものである。
【０００３】
【従来の技術】
フィルムに透明磁性体を塗布して、このフィルムに特定する情報などを磁気記録することが実施されている。これは撮影駒それぞれに対応した磁気記録トラックを設け、この磁気トラック上に情報を記録させるものである。
【０００４】
各撮影駒毎に記録する情報としては、撮影日時、シャッター速度、絞り、被写体距離、撮影場所、被写体名、その他の撮影メモ等が考えられる。
【０００５】
また現在ＡＰＳのフィルム上での磁気記録トラックは、フィルムの幅方向一端部から撮影駒のエッジまでの領域に２個所（２トラック）設定されている。
【０００６】
従来、このような各撮影駒に情報を磁気記録可能なフィルムを使用するカメラで、そのフィルム全体に関する撮影情報を記録する場合には、フィルムの１駒巻き上げの時に各撮影駒に記録するのではなくて、フィルムの巻き戻し時にフィルムリーダー部にまとめて記録することが提案されている。（特開平８−２９８５８号公報参照）。
【０００７】
このようなフィルムリーダー部に記録された磁気情報は、カメラにカートリッジフィルムを装填直後の初期スラスト駆動を含むいわゆるオートローデイング中に、磁気ヘッドによってフィルム上の磁気信号の有り無しを読み取るように構成されている。
【０００８】
また、フィルムに設けられた２個所の磁気記録トラックそれぞれに異なる情報を記録するカメラとしては、フィルムの第１トラックにフィルム各駒に対応した情報を、第２トラックには露光済み情報をそれぞれ記録するように設定し、フィルムの途中取り出しが指示されるとフィルムを一旦巻き上げて、未露光駒の第２トラックに未露光駒情報を記録することが提案されている（特開平６−２７３８４２号公報参照）。
【０００９】
【発明が解決しようとする課題】
ところが上記前者の場合、フィルムに関する情報をフィルム巻き戻し時にフィルムリーダー部に記録すると、一般的には巻き戻し時のフィルム給送ジッターが多いために磁気記録の信頼性が低くなるとか、またカートリッジフィルム装填直後の初期スラスト時にリーダー部に記録された磁気情報を再生しようとすれば、スラスト時はフィルムの給送スピードがまだ安定していないために、磁気情報の再生がうまくいかずに読み取りミスを犯してしまうといった欠点があった。
【００１０】
また後者の場合には、未露光駒に未露光駒情報のみを記録するものであり、撮影者が必要なフィルムに関する情報などを記録するものではないため、途中駒まで使用済み（露光済み）のフィルムを巻き戻してからカメラに再装填した場合に、単に未露光駒を検出するだけで撮影者がそのフィルムに関する固有の情報を得られるものではなかった。
【００１１】
【課題を解決するための手段】
そこで本発明はフィルムのリーダー部に磁気記録するのではなくて、フィルムの途中駒まで撮影してから巻き戻し操作を行おうとした場合には、フィルムの巻き戻しを開始する前にあらかじめフィルムの１駒巻き上げを行うことにより、その未露光先頭駒にフィルムの情報などを磁気記録させるものである。ここでフィルムに設けられているカメラ側が記録可能な２個所の磁気記録範囲（以後トラックと呼ぶ）のうち、通常撮影済み駒に対して記録される撮影領域に遠い側の第１トラックには何も記録せずに、撮影領域に近い側の第２トラックにのみ磁気記録させる。このように途中駒まで撮影済みのフィルムで、未露光駒の先頭駒の第２トラックに情報が磁気記録されたフィルムを巻き戻してから、再びカメラに装填することで露光済みの駒の第１トラックでの磁気信号の有無を検出するいわゆるＭＲＣ動作を行い、未露光駒の第１トラックでの磁気信号の有無を検出すると同時に第２トラックの磁気情報をも再生することで、そのフィルムに記録された情報の確認が可能となる。従ってフィルムリーダー部へ磁気記録情報を記録もしくは再生する場合に誤記録または誤再生しやすいといったことを防止できる。
【００１２】
またフィルムの巻き戻しを行うための操作スイッチを操作することで、すぐにはフィルム給送を行わず、フィルムに情報記録を行うかどうかについてカメラのＬＣＤなどの外部表示器により警告表示を行うことで、撮影者に任意情報の記録が選択可能に構成している。
【００１３】
【発明の実施の形態】
以下本発明の実施形態について図面を参照しながら説明する。
【００１４】
（第１の実施形態）
図１は本発明の第１実施形態である磁気記録可能なカメラの外観を示した斜視図である。
【００１５】
カメラ本体１１の上面にはレリーズボタン１２、巻き戻し操作ボタン１３、データ入力操作ボタン１６、デー夕入力完了操作ボタン１５、各種フィルム情報を表示するための外部表示素子１４を備えている。
【００１６】
図２は本第１実施形態のカメラにおける電気回路を示したブロック図である。
【００１７】
本実施形態のカメラは、カメラ全体の制御を司るＣＰＵ（制御回路）１を具備している。該ＣＰＵ１には、上記レリーズボタン１２によりオン、オフするレリーズスイッチ２、上記巻き戻し操作ボタン１３により入力される巻き戻しスイッチ３、撮影者が固有の情報を入力後に入力完了操作ボタン１６により入力されるデータ入力完了スイッチ１０、データ入力操作ボタン１５により入力されるデータ入力スイッチ１７が接続されている。
【００１８】
また、上記ＣＰＵ１にはフィルム給送モーター５を制御するモーター駆動回路４と、フィルムに設けられている２箇所の磁気トラック部に、諸情報を記録するための磁気ヘッド７を有した磁気記録回路６が接続されている。
【００１９】
さらに、外部表示素子１４を駆動する表示回路８が接続されている。
【００２０】
次に本発明の第１実施形態のカメラの動作を第３図に示すフローチャートを参照して説明する。
【００２１】
ステップ１（以後Ｓ１と呼ぶ）にてカメラにカートリッジが装填されるとＳ２にてカートリッジの種別を判別する（これはカートリッジに設けられたデータディスクを検知することで行われるが、すでに周知技術であるため説明は省略する）。
【００２２】
Ｓ３にてカートリッジフィルムが全駒露光済みであると判断されると、Ｓ２６に進み外部表示素子１４により撮影者にカートリッジをカメラから取り出すように促す警告表示をする。またカートリッジフィルムが全駒露光済みでない場合にはＳ４に進むが、一部を露光済みの時はまだ未露光駒があるため、Ｓ５に進みフィルムの巻き上げを開始する。続いてＳ６でフィルムの各駒での第１トラックに記録されている磁気信号を検知するとともに、Ｓ７にて第２トラックに記録されている磁気信号を再生する。次にＳ８にて第２トラックから再生された磁気信号をメモリーに記憶するが、Ｓ９にて各駒での第１トラックからの磁気信号が検出される限りフィルムの巻き上げを続行し、磁気信号が検出されない駒を検知した場合には、その駒の巻き上げ動作を完了後に、Ｓ１０にてフィルムの巻き上げを停止する。なお各駒での第２トラックから再生された磁気信号は順次メモリーに上書きされる。そして続いてＳ１１にてフィルムの１駒巻き戻しを行い、Ｓ１２にて巻き戻しを停止するが、即ちこれによりアパーチャには未露光先頭駒がセットされることになる。その後Ｓ１３にて、未露光先頭駒の第２トラックから再生された磁気信号からの情報を外部表示機器１４にて表示後、Ｓ１７に進む。
【００２３】
一方上記Ｓ４にてフィルムがまったく未使用状態であった場合には、Ｓ１４に進んでフィルムの巻き上げを開始し、不図示のフィルム移動量検出手段によって、Ｓ１５にてフィルムの第１駒目を検知することでＳ１６にてフィルムの巻き上げを停止させる。この状態においてＳ１７で巻き戻し操作スイッチがＯＮされると、Ｓ３０に進むが、巻き戻し操作スイッチがＯＮされなければＳ１８に進む。Ｓ１８でレリーズスイッチがＯＮされると、Ｓ１９にて撮影動作を完了後、続いてＳ２０にてフィルムの１駒巻き上げを行うとともに、Ｓ２１にてフィルムの第１トラック、および第２トラックヘの磁気記録を開始する。Ｓ２２にて磁気記録終了後、Ｓ２３にてフィルム巻き上げを停止する。この場合、Ｓ２４でフィルムの最終駒まで露光完了しているかの判定を行い、最終駒まで露光が完了していれば、Ｓ２５に進んでフィルムの巻き戻し動作を開始する。またＳ１７にて巻き戻し操作スイッチが操作されてＯＮすると、Ｓ３０にてフィルムに固有情報の記録を行うかどうかを撮影者に確認するための警告を外部表示素子１４に表示する。ここで撮影者が特に固有の情報記録を行わない場合には、Ｓ３１にてそのまま巻き戻し動作を進めるためのＯＫボタンを操作することでＯＮされて、Ｓ３８にてフィルムの巻き戻しが開始される。Ｓ３９にて巻き戻しが完了すると、Ｓ４０にてフィルム巻き戻しを停止したのち、Ｓ４１にて外部表示素子１４にてカートリッジの取り出しを促す警告表示を行う。
【００２４】
またＳ３１にて撮影者が固有のデータを記録する場合には、Ｓ３２にてデー夕入力スイッチを操作して任意の固有情報を入力し、入力が完了すればＳ３３にてデータ入力完了スイッチをＯＮすることでＳ３４に進み、フィルム１駒巻き上げを開始するとともに、Ｓ３５にてフィルムの第２トラックに磁気記録を開始する。Ｓ３６にて磁気記録が完了すると、Ｓ３７にて巻き上げを停止してＳ３８にて巻き戻しを開姑する。なおＳ３５においてフィルム巻き上げ中には第１の記録再生手段からは何もフィルムに記録は行わず、第２の記録再生手投によってのみ磁気情報の記録が行われる。
【００２５】
図５は本発明のカメラによって磁気記録されるフィルムの様子を示したものである。各露光済み駒の第１および第２トラックにはその駒に関する情報が記録され、未露光駒にの第１トラックには何も記録されずに第２トラックにのみ情報が記録される。
【００２６】
（第２実施形態）
図５は本発明の第２実施形態を示すフローチャートである。
【００２７】
第１実施形態では、フィルム巻き戻し時に撮影者が記録したい情報を入力するものであったが、第２実施形態ではカメラが自動的にあらかじめ設定されたデータを記録するようにしたものである。
【００２８】
第１の実施形態であるフローチャートと異なるところは、図４のＳ１７にて巻き戻しＳＷがＯＮされた場合には、Ｓ５０にてフィルムの１駒巻き上げ動作を即座に開始して、Ｓ５１にて予めカメラで決められた所定のデータに関する情報を第２トラックに磁気記録することである。Ｓ５２にて磁気記録が終了すると、Ｓ３７に進みあとは上記説明したのと同様のシーケンスを行う。この場合の情報としては、最終駒が撮影された日時とか、撮影者が最終駒に設定したタイトルなどでもよい。
【００２９】
【発明の効果】
以上説明したように本発明は、フィルムの途中駒まで撮影してから巻き戻し操作を行おうとした場合には、フィルムの巻き戻しを開始する前にあらかじめフィルムの１駒巻き上げを行うことにより、その未露光先頭駒にフィルムの情報などを磁気記録させるものである。フィルムに設けられているカメラ側が記録可能な２個所の磁気記録領域のうち、通常撮影済み駒であることを磁気信号の有無によって検出するための第１記録領域には何も記録せずに、第２記録領域にのみ磁気記録させる。
【００３０】
請求項１記載のように、フィルムの各駒に磁気情報を記録するための少なくとも第１と第２の記録領域を有したフィルムを使用するカメラにおいて、第１および第２の記録領域で磁気情報を記録および再生するための第１の記録再生手投および第２の記録再生手投と、前記第１の記録再生手段により未露光先頭駒を検出するための検出手段とを有し、未露光先頭駒を検出した時にその駒の前記第２の記録領域に磁気記録されている磁気情報を第２の記録再生手段によって再生して表示するための表示手段を有したものであるから、途中の駒まで使用されたフィルムに記録された情報が何ら特別な操作なしに確認することが可能となる。
【００３１】
請求項２に記載のようにフィルムの途中巻き戻し手段の指示にて巻き戻しがなされる際に、一旦フィルムを巻き上げることで、フィルム未露光先頭駒の第２の記録領域に、撮影者によって設定された情報もしくは所定の情報が磁気記録されるものであるから、磁気記録が安定して行えるという利点がある。また従来のようにフィルムリーダー部へ磁気記録情報を記録して再生する場合での誤記録または誤再生しやすいといったことが防止できる。
【００３２】
請求項３に記載のようにフィルムの未露光駒の第１の記録領域には何も記録しないものであるから通常のＭＲＣ動作中に同時にフィルム情報を検出可能である。
【００３３】
請求項４に記載のようにフィルム途中巻き戻し手段が操作されることで、巻き戻しを開始する前にあらかじめ警告をおこなうものであるから、そのフィルムに関する情報の記録忘れがなくなるという利点がある。またフィルムの巻き戻しを行うための操作スイッチを操作することで、すぐにはフィルム給送を行わず、フィルムに情報記録を行うかどうかについてカメラのＬＣＤなどの外部表示器により警告表示を行うことで、撮影者に任意情報の記録が選択可能になるといった利点もある。
【図面の簡単な説明】
【図１】本発明の第１実施形態を示す磁気記録可能なカメラの外観斜視図。
【図２】本発明の第１実施形態のカメラにおける電気回路を示したブロック。
【図３】本発明のフローチャート。
【図４】本発明のフローチャート。
【図５】第２実施形態のフローチャート。
【図６】本発明のカメラで磁気記録されるフィルムの様子を示したものである。
【符号の説明】
１　ＣＰＵ
２　レリーズスイッチ
３　巻き戻しスイッチ
４　モーター駆動回路
５　フィルム給送用モーター
６　磁気記録回路
７　磁気ヘッド
８　表示回路
９　表示素子
１０　データ入力完了スイッチ
１１　カメラ本体
１２　レリーズボタン
１３　巻き戻し操作ボタン
１４　外部表示素子
１５　データ入力完了操作ボタン
１６　データ入力操作ボタン
【図１】
2004012495.tif 000003
【図２】
2004012495.tif 000004
【図３】
2004012495.tif 000005
【図４】
2004012495.tif 000006
【図５】
2004012495.tif 000007
【図６】
2004012495.tif 000008